(57)【要約】【課題】この発明は、読み取ったＩＤ情報に対応するテナントの侵入監視が行われている場合に、かごが当該テナントの所属階に到着した時点で、当該テナントの侵入監視を解除するようにし、侵入監視できない状態が生じない高度のセキュリティーを実現できる機械警備システムを得る。【解決手段】テナントのテリトリーへの侵入を検知する侵入センサがビル内に入居している複数のテナント毎に設置されている。そして、侵入センサの侵入検知信号に基づいた侵入監視／侵入監視解除をテナント毎に設定するカードリーダ６が、エレベータのかご内に設置され、リーダヘッド７でＩＤ番号を読み取り、該ＩＤ番号に対応するテナントの侵入監視が行われているか否かを判別し、侵入監視が行われている場合に、かごがテナントの所属階に到着するのを待ってテナントの侵入監視を解除する。【選択図】図５
2006065379.tif 000002
【特許請求の範囲】
【請求項１】
ビル内に入居している複数のテナントと、
上記テナント毎に設置されて、該テナントのテリトリーへの侵入を検知する侵入センサと、
上記侵入センサの侵入検知信号に基づいた侵入監視／侵入監視解除を上記テナント毎に設定するＩＤ判別装置と、を備えた機械警備システムにおいて、
上記ＩＤ判別装置は、エレベータのかご内に設置され、ＩＤ情報の読み込みが発生したとき、読み取られたＩＤ情報に対応するテナントの侵入監視が行われているか否かを判別し、侵入監視が行われている場合に、該かごが当該テナントの所属階に到着するのを待って当該テナントの侵入監視を解除することを特徴とする機械警備システム。
【請求項２】
上記エレベータは、複数台のかごを有し、上記ＩＤ判別装置は上記複数台のかごのそれぞれに設置され、各ＩＤ判別装置は、全ての上記テナントの侵入監視／侵入監視解除を設定できるように構成されていることを特徴とする請求項１記載の機械警備システム。
【請求項３】
上記エレベータは、サービスゾーンを分けられた複数台のかごを有し、上記ＩＤ判別装置は上記複数台のかごのそれぞれに設置され、各ＩＤ判別装置は、設置されたかごのサービスゾーン内の上記テナントの侵入監視／侵入監視解除を設定するように構成されていることを特徴とする請求項１記載の機械警備システム。
【請求項４】
上記ＩＤ判別装置は、ＩＤ情報の読み込みが発生したとき、読み取られたＩＤ情報に対応するテナントの侵入監視が行われているか否かを判別し、侵入監視が行われていない場合に、当該テナントの侵入監視を開始することを特徴とする請求項１乃至請求項３のいずれか１項に記載の機械警備システム。
【請求項５】
上記かご内に報知手段を備え、
上記ＩＤ判別装置は、侵入監視が行われていない場合に、上記侵入センサの侵入検知信号に基づいて当該テナントに侵入が発生しているか否かを判別し、侵入が発生していないときに、当該テナントの侵入監視を開始し、侵入が発生しているときに、侵入発生を上記報知手段により報知させることを特徴とする請求項４記載の機械警備システム。
【請求項６】
上記ＩＤ判別装置は、侵入監視が行われていない場合に、上記侵入センサの侵入検知信号に基づいて当該テナントに侵入が発生しているか否かを判別し、侵入が発生していないときに、当該テナントの侵入監視を開始し、侵入が発生しているときに、さらに上記かごが当該テナントの所属階を離れたか否かを判別し、所属階を離れていないときには、戸開させ、所属階を離れているときには、該かごを所属階に戻し、戸開させることを特徴とする請求項４記載の機械警備システム。
【請求項７】
ビル内に入居している複数のテナントと、
上記テナント毎に設置されて、該テナントのテリトリーへの侵入を検知する侵入センサと、
上記侵入センサの侵入検知信号に基づいた侵入監視／侵入監視解除を上記テナント毎に設定するＩＤ判別装置と、を備えた機械警備システムにおいて、
上記ＩＤ判別装置は、エレベータの所定の乗り場に設置され、ＩＤ情報の読み込みが発生したとき、読み取られたＩＤ情報に対応するテナントの侵入監視が行われているか否かを判別し、侵入監視が行われている場合に、エレベータのかごが当該テナントの所属階に到着するのを待って当該テナントの侵入監視を解除することを特徴とする機械警備システム。
【請求項８】
上記ＩＤ判別装置は、ＩＤ情報の読み込みが発生したとき、読み取られたＩＤ情報に対応するテナントの侵入監視が行われているか否かを判別し、侵入監視が行われていない場合に、当該テナントの侵入監視を開始することを特徴とする請求項７記載の機械警備システム。
【請求項９】
上記ＩＤ判別装置は、報知手段を備え、侵入監視が行われていない場合に、上記侵入センサの侵入検知信号に基づいて当該テナントに侵入が発生しているか否かを判別し、侵入が発生していないときに、当該テナントの侵入監視を開始し、侵入が発生しているときに、侵入発生を上記報知手段により報知させることを特徴とする請求項８記載の機械警備システム。
【請求項１０】
上記ＩＤ判別装置は、受信装置を備え、該受信装置から受信したテナント特定信号および侵入監視開始信号に基づいて当該テナントの侵入監視を開始することを特徴とする請求項１乃至請求項３、請求項７のいずれか１項に記載の機械警備システム。
【請求項１１】
全ての上記テナントの侵入監視／侵入監視解除の状態を表示する集合表示装置を備えていることを特徴とする請求項１乃至請求項１０のいずれか１項に記載の機械警備システム。
【請求項１２】
上記ＩＤ判別装置は、侵入監視が行われている上記テナントに侵入が発生したときに、侵入発生を外部機関に通報することを特徴とする請求項１乃至請求項１１のいずれか１項に記載の機械警備システム。
【発明の詳細な説明】
【技術分野】
【０００１】
この発明は、機械警備システムに関するものである。
【背景技術】
【０００２】
従来の機械警備システムでは、固有情報を記憶する記憶媒体と、この記憶媒体から固有情報を読み取り、この固有情報に対応するテナントの侵入監視が行われているか否かを判別し、侵入監視が行われている場合は解錠および侵入監視を止め、侵入監視が行われていない場合は施錠および侵入監視を開始する情報読み取り装置と、判別後一時的に、テナントの侵入監視が行われているかを表示する、複数のテナントに対して共通に設けられた共通表示装置と、テナントの侵入監視が行われているかを判別後に表示し直す、複数のテナントに対してそれぞれに設けられた個別表示装置と、を備えている（例えば、特許文献１参照）。
【０００３】
【特許文献１】特許第２５０２１５３号公報
【発明の開示】
【発明が解決しようとする課題】
【０００４】
従来の機械警備システムにおいては、記憶媒体から固有情報を読み取り、この固有情報に対応するテナントの侵入監視が行われている場合に解錠するとともに侵入監視を解除するように構成されているので、情報読み取り装置が出勤者の記憶媒体から固有情報を読み取った時点で、自分のテナントの侵入監視が解除されてしまう。そこで、出勤者が、情報読み取り装置での監視解除のための操作後から、エレベータのかごに乗り込み、自分のテナントに到着するまでの間は、当該テナントの侵入監視ができない状態となってしまい、セキュリティー上問題があった。
【０００５】
この発明は、上述のような課題を解決するためになされたもので、ＩＤ判別装置で出勤者のＩＤ情報を読み取り、このＩＤ情報に対応するテナントの侵入監視が行われている場合に、かごが当該テナントの所属階に到着した時点で、当該テナントの侵入監視を解除するようにし、侵入監視できない状態が生じない高度のセキュリティーを実現できる機械警備システムを得ることを目的とする。
【課題を解決するための手段】
【０００６】
この発明は、ビル内に入居している複数のテナントと、上記テナント毎に設置されて、該テナントのテリトリーへの侵入を検知する侵入センサと、上記侵入センサの侵入検知信号に基づいた侵入監視／侵入監視解除を上記テナント毎に設定するＩＤ判別装置と、を備えた機械警備システムにおいて、上記ＩＤ判別装置は、エレベータのかご内に設置され、ＩＤ情報の読み込みが発生したとき、読み取られたＩＤ情報に対応するテナントの侵入監視が行われているか否かを判別し、侵入監視が行われている場合に、該かごが当該テナントの所属階に到着するのを待って当該テナントの侵入監視を解除するものである。
【発明の効果】
【０００７】
この発明によれば、ＩＤ判別装置で読み取ったＩＤ情報に対応するテナントの侵入監視が行われている場合に、かごが当該テナントの所属階に到着した時点で、当該テナントの侵入監視が解除されるので、侵入監視できない状態が生じず、高度のセキュリティーが実現される。
【発明を実施するための最良の形態】
【０００８】
実施の形態１．
図１はこの発明の実施の形態１に係る機械警備システムを採用したビル１階のレイアウト図、図２はこの発明の実施の形態１に係る機械警備システムを採用したビルＮ階のレイアウト図、図３はこの発明の実施の形態１に係る機械警備システムに適用されるカードリーダを示す斜視図、図４はこの発明の実施の形態１に係る機械警備システムに適用される集合表示装置を示す斜視図、図５はこの発明の実施の形態１に係る機械警備システムの構成を説明するブロック図、図６はこの発明の実施の形態１に係る機械警備システムにおける出勤時の動作を説明するフローチャート、図７はこの発明の実施の形態１に係る機械警備システムにおける退勤時の動作を説明するフローチャートである。
【０００９】
図１乃至図４において、ビル１階には、玄関口２があり、例えば４つのテナント１ａ〜１ｄが入っている。そして、各テナント１ａ〜１ｄには、壁や仕切りがなく、図中点線で示されるテリトリーが割り当てられている。さらに、各テナント１ａ〜１ｄには、各テリトリーへの侵入を検知する侵入センサＳ１ａ〜Ｓ１ｄが設置されている。
同様に、ビルＮ階には、４つのテナントＮａ〜Ｎｄが入っている。そして、各テナントＮａ〜Ｎｄには、壁や仕切りがなく、図中点線で示されるテリトリーが割り当てられている。さらに、各テナントＮａ〜Ｎｄには、各テリトリーへの侵入を検知する侵入センサＳＮａ〜ＳＮｄが設置されている。
このように、ビルには、テナント１ａ〜１ｄ・・・Ｎａ〜Ｎｄ・・・が入居しており、エレベータ３が全テナントに共用されるように据え付けられている。
【００１０】
集合表示装置４は、複数のテナント１ａ〜１ｄ・・・Ｎａ〜Ｎｄ・・・の監視状態を集合的に表示する液晶表示装置やプラズマ表示装置などからなる集合表示器５を備え、１階のエレベータ３横に設置されている。そして、集合表示器５には、全てのテナントに対し、テナント名「ｘｘｘｘｘｘｘ」と、「警戒」、「解除」又は「警報」とが表示されている。「警戒」表示は該当テナントの侵入監視中を示し、「解除」表示は該当テナントの侵入監視の解除を示し、「警報」表示は該当テナントの侵入発生を示している。
ＩＤ判別装置としてのカードリーダ６は、リーダヘッド７と、単一のテナントの監視状態を表示する液晶表示装置やプラズマ表示装置などからなる報知手段としての表示器８と、を備え、エレベータ３のかご３ａの内壁面に設置されている。そして、表示器８には、後述するようにリーダヘッド７でリードされたＩＤ番号に該当するテナントに対し、テナント名「ｘｘｘｘｘｘｘ」と、「警戒」又は「解除」とが表示され、さらにリーダヘッド７でリードされたＩＤ番号（ＩＤ情報）が登録されているＩＤ番号であるか否かを示す「ＯＫ」又は「ＮＧ」が表示される。
なお、図中、符号９が階段を示している。
【００１１】
つぎに、機械警備システムの構成について図５を参照しつつ説明する。
かご３ａ内に設置されているカードリーダ６は、リーダヘッド７および表示器８にバス１０を介して接続された制御手段としてのＣＰＵ１１、ＣＰＵ１１の処理プログラムおよび固定データ等を格納してなる記憶手段としてのＲＯＭ１２、処理データおよび入力データ等を一時格納する記憶手段としてのＲＡＭ１３、集合表示装置４とデータのやり取りを行う伝送装置１４、各階に設置されている侵入センサＳ１ａ〜Ｓ１ｄ・・・ＳＮａ〜ＳＮｄ・・・からの信号、さらにはエレベータ３の制御装置（図示せず）からのかご位置信号１５を入力するためのインターフェイス１６などを備えている。そして、ＣＰＵ１１は、インターフェイス１６を介して入力される侵入センサＳ１ａ〜Ｓ１ｄ・・・ＳＮａ〜ＳＮｄ・・・の検知信号に基づいて、テナント１ａ〜１ｄ・・・Ｎａ〜Ｎｄ・・・への侵入を監視している。そして、ＣＰＵ１１は、鳴動して侵入発生を報知するブザー１７にインターフェイス１６を介して接続され、外部機関である防災センタ／警備会社１８に伝送装置１４を介して接続されている。また、ＲＡＭ１３には、テナント１ａ〜１ｄ・・・Ｎａ〜Ｎｄ・・・のそれぞれに入室を許可されているＩＤ番号、テナント名、テナントの所属階およびテナントの監視状態が関連づけられて格納されている。
【００１２】
集合表示装置４は、集合表示器５にバス２０を介して接続された制御手段としてのＣＰＵ２１、ＣＰＵ２１の処理プログラムおよび固定データ等を格納してなる記憶手段としてのＲＯＭ２２、処理データおよび入力データ等を一時格納する記憶手段としてのＲＡＭ２３、カードリーダ６とデータのやり取りを行う伝送装置２４などを備えている。そして、ＲＡＭ２３には、テナント名およびその監視状態が関連づけられて格納されている。
【００１３】
つぎに、機械警備システムの出勤時の動作について図６を参照しつつ説明する。
出勤者は、出勤すると、まず集合表示装置４に行き、集合表示器５の表示画面から、自分のテナント、例えばテナントＮａの監視状態、即ち「警戒／解除」の状態を確認する（ステップＳ１００）。そして、エレベータ３のかご３ａを呼び、かご３ａに乗りこみ（ステップＳ１０１）、行き先階釦「Ｎ階」を押す。
そして、ステップＳ１０２において、テナントＮａが警戒中ではない、即ち集合表示器５の表示画面でテナントＮａに「解除」表示があると、自分が二人目以降の出勤者と認識する。そして、かご３ａがＮ階に着床後、降りてテナントＮａに行く。
また、ステップＳ１０２において、テナントＮａが警戒中である、即ち集合表示器５の表示画面でテナントＮａに「警戒」表示があると、自分が最初の出勤者と認識し、磁気カードやＩＣカードからなるＩＤカード（図示せず）をカードリーダ６に差し込む（ステップＳ１０３）。そこで、ＩＤカードに書き込まれているＩＤ番号がリーダヘッド７で読み込まれる。
【００１４】
ついで、ステップＳ１０４に移行し、ＣＰＵ１１がＲＡＭ１３内に格納されているＩＤ番号と照合し、この読み込まれたＩＤ番号が登録されているか否かを判別する。そして、照合が不一致であると、読み込まれたＩＤ番号が登録されていないと判別され、表示器８に「ＮＧ」が表示される（ステップＳ１０５）。これにより、ＩＤ番号が登録されていないことが、出勤者に報知される。また、照合が一致すると、読み込まれたＩＤ番号が登録されていると判別され、表示器８に「ＯＫ」が表示される（ステップＳ１０６）。これにより、出勤者は、ＩＤ番号が受け付けられたことを確認し、かご３ａに乗ってＮ階まで移動する。
【００１５】
ついで、ＣＰＵ１１は、ＲＡＭ１３に格納されているデータから、読み込まれたＩＤ番号に対応するテナント名（テナントＮａ）およびテナントの所属階（Ｎａ）を読み出し、インターフェイス１６を介して入力されるエレベータ３の制御装置（図示せず）からのかご位置信号１５に基づいて、かご３ａがＮ階に着床したか否かを判別する（ステップＳ１０７）。そして、かご３ａがＮ階に着床したと判別されると、ＣＰＵ１１は、読み込まれたＩＤ番号に対応するテナントＮａの侵入監視を解除し（ステップＳ１０８）、当該テナントの侵入監視が解除された旨、即ち「テナントＮａ」と「解除」とを表示器８に表示する（ステップＳ１０９）。そこで、出勤者は、テナントＮａの侵入監視が解除されたことを認識する。そして、かご３ａがＮ階に着床後、降りてテナントＮａに行き、始業の準備をすることになる。この時、テナントＮａの侵入監視が解除されており、侵入センサＳＮａが作動しても、ＣＰＵ１１は「侵入」と判断しない。
【００１６】
ついで、ＣＰＵ１１は、テナントＮａの侵入監視が解除された旨のデータを、伝送装置１４を介して集合表示装置４に伝送する。このデータは伝送装置２４を介して受信され、ＲＡＭ２３内に格納されているテナント情報が更新される。つまり、ＲＡＭ２３内のテナントＮａの監視状態が「警戒」から「解除」に更新される。そして、ＣＰＵ２１がＲＡＭ２３内のテナント情報データに基づいて集合表示器５を駆動し、集合表示器５の表示内容が更新されたテナント情報に基づいて変更される（ステップＳ１１０）。これにより、テナントＮａの「警戒」表示が「解除」表示に切り替わる。そこで、次の出勤者は、集合表示器５の表示から、自分のテナントＮａの侵入監視が解除されていることを把握し、カード操作することなく、かご３ａでＮ階に移動することになる。
【００１７】
つぎに、機械警備システムの退勤時の動作について図７を参照しつつ説明する。
テナントＮａを最後に退勤する退勤者は、エレベータ３まで行きかご３ａに乗りこみ（ステップＳ２００）、行き先階釦「１階」を押す。そして、退勤者は、ＩＤカードをカードリーダ６に差し込む（ステップＳ２０１）。そこで、ＩＤカードのＩＤ番号がリーダヘッド７で読み込まれる。
ついで、ステップＳ２０２に移行し、ＣＰＵ１１がＲＡＭ１３内に格納されているＩＤ番号と照合し、この読み込まれたＩＤ番号が登録されているか否かを判別する。そして、照合が不一致であると、読み込まれたＩＤ番号が登録されていないと判別され、表示器８に「ＮＧ」が表示される（ステップＳ２０３）。これにより、ＩＤ番号が登録されていないことが、退勤者に報知される。また、照合が一致すると、読み込まれたＩＤ番号が登録されていると判別され、表示器８に「ＯＫ」が表示される（ステップＳ２０４）。これにより、退勤者は、ＩＤ番号が受け付けられたことを確認し、かご３ａに乗って１階まで移動する。
【００１８】
ついで、ステップＳ２０５に移行し、ＣＰＵ１１は、ＲＡＭ１３に格納されているデータから、読み込まれたＩＤ番号に対応するテナントＮａの侵入監視が解除されているか否かを判別する。そして、テナントＮａの侵入監視が解除されていると判別されると、テナントＮａの侵入監視を開始し（ステップＳ２０６）、テナントＮａが侵入監視中である旨、即ち「テナントＮａ」と「警戒」とを表示器８に表示する（ステップＳ２０７）。これにより、退勤者は、自分のテナントＮａが侵入監視状態に入ったことを認識する。さらに、ＣＰＵ１１は、テナントＮａが侵入監視中である旨のデータを、伝送装置１４を介して集合表示装置４に伝送する。このデータは伝送装置２４を介して受信され、ＲＡＭ２３内に格納されているテナント情報が更新される。つまり、ＲＡＭ２３内のテナントＮａの監視状態が「解除」から「警戒」に更新される。そして、ＣＰＵ２１がＲＡＭ２３内のテナント情報データに基づいて集合表示器５を駆動し、集合表示器５の表示内容が更新されたテナント情報に基づいて変更される（ステップＳ２０８）。これにより、テナントＮａの「解除」表示が「警戒」表示に切り替わる。そこで、出勤者は、テナントＮａが侵入監視状態になったことを認識し、かご３ａが１階に着床後、降りて退勤することになる。
【００１９】
また、ステップ２０５において、テナントＮａの侵入監視が解除されていないと判別されると、ステップＳ２０７に移行し、テナントＮａが侵入監視中である旨（テナント名、警戒）を表示器８に表示する。
【００２０】
ついで、ステップＳ２０９に移行し、ＣＰＵ１１が、インターフェイス１６から入力される侵入センサＳＮａの検知信号をモニターし、テナントＮａへの侵入発生があるか否かを判別する（テナントＮａの侵入監視状態）。そして、テナントＮａへの侵入発生があったと判別されると、侵入発生のデータが伝送装置１４を介して集合表示装置４に伝送され、集合表示器５に表示されているテナントＮａの「警戒」表示が「警報」表示に切り換えられる（ステップＳ２１０）。ついで、ＣＰＵ１１は、ブザー１７を鳴動させて侵入発生をビル内に報知し（ステップＳ２１１）、さらに侵入発生を防災センタ／警備会社１８に自動通報する（ステップＳ２１２）。
【００２１】
この実施の形態１によれば、出勤者が、ＩＤカードをカードリーダ６に差し込むと、ＣＰＵ１１が読み取られたＩＤ番号に対応するテナントの侵入監視が行われているか否かを判別し、侵入監視が行われている場合に、かごがテナントの所属階に到着するのを待ってテナントの侵入監視を解除する。そこで、出勤者が、ＩＤカードをカードリーダ６に差し込んだ後、かご３ａに乗って所属階に到着するまでの間も、自分のテナントの侵入監視が行われており、高度のセキュリティーが得られる。
また、全てのテナントに対する侵入監視／侵入監視解除の状態が集合表示器５に表示されているので、出勤者が、集合表示器５の画面から自分のテナントが警戒（侵入監視）、又は解除（侵入監視解除）であることを見ることで、最初の出勤者であるか否かを瞬時に認識できる。そこで、２番目以降の出勤者が、不要なカード操作をすることがなくなる。
【００２２】
なお、上記実施の形態１では、集合表示装置４が１階のエレベータ３横（乗り場）に設置されているものとして説明しているが、集合表示装置４の設置場所は、各テナントの従業員が出退勤する際に通行する場所であればどこでもよく、例えば従業員通用口でもよい。
また、上記実施の形態１では、かご３ａがＮ階に着床したと判別された時点で、テナントＮａの侵入監視を解除するものとしているが、侵入監視を解除する時点は、かご３ａがＮ階（該当階）に着床するための減速開始時点から、かご３ａが着床して戸開した後の戸閉時点までの間、さらには戸閉から所定時間経過時点に設定されていればよい。なお、侵入監視を解除する時点は、遅くなるほど、効果が大きくなる。
また、上記実施の形態１では、表示器８を用いて、リーダヘッド７でリードされたＩＤ番号に該当するテナントに対し、テナント名「ｘｘｘｘｘｘｘ」と、「警戒」又は「解除」とを表示し、さらにリーダヘッド７でリードされたＩＤ番号が登録されているＩＤ番号であるか否かを示す「ＯＫ」又は「ＮＧ」を表示するものとしているが、それらの情報を表示器８に代えて音声で報知するようにしてもよい。
【００２３】
実施の形態２．
この実施の形態２に係る機械警備システムにおける退勤時の特徴部分の動作について図８を参照しつつ説明する。
上記実施の形態１の退勤時の動作において、ステップＳ２０４に移行し、表示器８に「ＯＫ」が表示される。そして、ステップＳ２０５に移行し、ＣＰＵ１１は、ＲＡＭ１３に格納されているデータから、読み込まれたＩＤ番号に対応するテナントＮａの侵入監視が解除されているか否かを判別する。そして、テナントＮａの侵入監視が解除されていないと判別されると、ステップ２０７に移行し、表示器８に「テナントＮａ」と「警戒」とを表示する。
また、ステップＳ２０５において、テナントＮａの侵入監視が解除されていると判別されると、ステップＳ２２０に移行し、テナントＮａに侵入が発生したか否かを判別する。そして、テナントＮａに侵入が発生していないと判別されると、ステップＳ２０６に移行し、テナントＮａの侵入監視を開始する。
【００２４】
また、ステップＳ２２０において、テナントＮａに侵入が発生したと判別されると、ステップＳ２２１に移行し、表示器８に「テナントＮａ」と「未退勤者有り」とを表示する。そこで、退勤者は、テナントＮａに人が残っていることを知る。そして、ステップＳ２２２に移行し、ＣＰＵ１１がかご位置信号１５からかご３ａがＮ階を出発したか否かを判別する。かご３ａがＮ階を出発していないと判別されると、ステップＳ２２３に移行し、ＣＰＵ１１は戸開指令をエレベータ３の制御装置に発し、かご３ａの戸を開放する。そこで、退勤者は、テナントＮａに残っている人をかご３ａに乗り込させることができる。また、ステップＳ２２２において、かご３ａがＮ階を出発したと判別されると、ＣＰＵ１１はＮ階のかご呼びをエレベータ３の制御装置に発し、かご３ａをＮ階に戻し（ステップＳ２２４）、ステップＳ２２３に移行する。
ついで、ステップＳ２２５に移行し、かご３ａが戸閉したか否かを判別し、戸閉したと判別されると、テナントＮａに残っていた人がかご３ａに乗りこんだと判断し、ステップＳ２０６に移行する。
【００２５】
従って、この実施の形態２によれば、退勤者がかご３ａに乗り込み、ＩＤカードをカードリーダ６に差し込んで、テナントＮａの侵入監視を開始させる動作を行った際に、侵入センサＳＮａの侵入検知信号からテナントＮａの侵入発生を判別する。そして、テナントＮａへの侵入が発生していると判別されると、表示器８に「テナントＮａ」と「未退勤者有り」とを表示するようにしている。そこで、退勤者は、人がまだテナントＮａに残っていることを知り、テナントＮａ内に残っている人を退勤させるように行動できる。
【００２６】
また、テナントＮａへの侵入が発生していると判別されると、かご３ａがＮａ階を出発したか否かを判別する。そして、かご３ａがＮａ階を出発していないと判別されると、かご３ａを戸開させる。また、かご３ａがＮａ階を出発していると判別されると、かご３ａをＮａ階に戻し、戸開させるようにしている。そこで、テナントＮａ内に残っている人を自動的にかご３ａに乗りこませることができる。この時、「テナントＮａ」と「未退勤者有り」とが表示器８に表示されているので、戸が開いたり、Ｎａ階に戻るかご３ａの動作が、退勤者を驚かすことにならない。
【００２７】
さらに、かご３ａの戸が閉まった後、テナントＮａの侵入監視を開始しているので、退勤者がかご３ａに乗り込み、ＩＤカードをカードリーダ６に差し込んで、テナントＮａの侵入監視を開始させる動作を行った際に、人がまだテナントＮａに残っていても、警報を発することなく、かつ、防災センタ／警備会社１８に侵入発生を通報することもなく、未退勤者を無事退勤させることができる。
【００２８】
実施の形態３．
上記実施の形態１では、カードリーダ６がかご３ａ内に設置されるものとして説明しているが、この実施の形態３では、カードリーダ６が集合表示装置４に一体に組み込まれ、１階の乗り場に設置されるものとしている。
この実施の形態３では、出勤者が１階でＩＤカードをカードリーダ６に差し込むことで、ＩＤ番号が取り込まれ、ＩＤ判別動作が行われる。なお、他の動作は上記実施の形態１と同様の構成されている。
【００２９】
この実施の形態３では、カードリーダ６が１階に設置されているので、出勤者が自分のテナントの侵入監視を解除させるためのカード操作を、出勤時の混雑するかご３ａ内で行う必要がなくなり、テナントの侵入監視を解除するためのカード操作が容易となる。
【００３０】
実施の形態４．
この実施の形態４では、エレベータ３のかご３ａが２台以上あるビルに適用するものであり、カードリーダ６を各かご３ａにそれぞれ設置し、各カードリーダ６に同じ動作をさせるものである。
従って、複数台のかご３ａのあるビルにおいても、上記実施の形態１と同様の効果が得られる。
【００３１】
実施の形態５．
この実施の形態５では、エレベータ３のかご３ａが２台以上あり、各かご３ａのサービスゾーンがわかれているビルに適用するものであり、カードリーダ６を各かご３ａにそれぞれ設置し、設置されているかご３ａのサービスゾーンに該当する階に所属するテナントの侵入監視の開始／解除を設定できるように各カードリーダ６を動作させるものである。
従って、サービスゾーンが分かれている複数台のかご３ａのあるビルにおいても、上記実施の形態１と同様の効果が得られる。
【００３２】
なお、上記各実施の形態では、テナントの侵入監視の開始／解除を行うための操作者のＩＤ判別を、磁気カードやＩＣカードなどからなるＩＤカードに書き込まれたＩＤ番号をカードリーダ６で読み込んで行うものとしているが、本発明は、このような接触式のＩＤ判別方式に限定されるものではなく、操作者のＩＤを判別できるものであればどのようなＩＤ判別方式を採用してもよい。
例えば、無線タグから送信されるＩＤ番号を無線タグリーダで読み込んでＩＤ判別を行うようにしてもよい。また、操作者が自分のＩＤ番号をテンキーから打ち込んでＩＤ判別を行うようにしてもよい。また、指紋、音声、網膜、アイリス、顔型などのバイオデータをリーダ（カメラやマイクなど）で取り込んでＩＤ判別を行うようにしてもよい。ここで、無線タグやバイオデータを用いた非接触式のＩＤ判別方式の場合、表示器８はリーダ付近の高い位置に設置することが、見やすさの点から望ましい。
【００３３】
また、上記各実施の形態では、テナントの侵入監視の開始／解除を、ＩＤカードに書き込まれたＩＤ番号をカードリーダ６で読み込んで行うものとして説明しているが、テナントの侵入監視の開始については、セキュリティー上軽いものでもよく、例えばスイッチ操作でテナントの侵入監視を開始させるようにしてもよく、カードリーダ６に受信装置を付加し、携帯電話などの携帯通信端末からテナント特定信号および侵入監視開始信号をカードリーダ６に送信してテナントの侵入監視を開始させるようにしてもよい。
【図面の簡単な説明】
【００３４】
【図１】この発明の実施の形態１に係る機械警備システムを採用したビル１階のレイアウト図である。
【図２】この発明の実施の形態１に係る機械警備システムを採用したビルＮ階のレイアウト図である。
【図３】この発明の実施の形態１に係る機械警備システムに適用されるカードリーダを示す斜視図である。
【図４】この発明の実施の形態１に係る機械警備システムに適用される集合表示装置を示す斜視図である。
【図５】この発明の実施の形態１に係る機械警備システムの構成を説明するブロック図である。
【図６】この発明の実施の形態１に係る機械警備システムにおける出勤時の動作を説明するフローチャートである。
【図７】この発明の実施の形態１に係る機械警備システムにおける退勤時の動作を説明するフローチャートである。
【図８】この発明の実施の形態２に係る機械警備システムにおける退勤時の特徴部分の動作を説明するフローチャートである。
【符号の説明】
【００３５】
１ａ・・・１ｄ  テナント、Ｎａ・・・Ｎｄ  テナント、３  エレベータ、３ａ  かご、４  集合表示装置、６  カードリーダ（ＩＤ判別装置）、８  表示器（報知手段）、１７  ブザー、１８  防災センタ／警備会社（外部機関）、Ｓ１ａ・・・Ｓ１ｄ，ＳＮａ・・・ＳＮｄ  侵入センサ。
【図１】
2006065379.tif 000003
【図２】
2006065379.tif 000004
【図３】
2006065379.tif 000005
【図４】
2006065379.tif 000006
【図５】
2006065379.tif 000007
【図６】
2006065379.tif 000008
【図７】
2006065379.tif 000009
【図８】
2006065379.tif 000010